(57)【要約】  セル識別子（セルＩＤ）選択のための無線デバイスによって実行される方法は、無線リソース制御（ＲＲＣ）接続アクションを試みることを含む。指定セルＩＤが、システム情報ブロック（ＳＩＢ）内の複数のセルＩＤから選択される。識別子が、指定セルＩＤに基づいて決定される。識別子は、ＲＲＣ接続アクションの一部としてネットワークノードに送信される。【選択図】図１３、図１５
2021523628.tif 000002
【特許請求の範囲】
【請求項１】
セル識別子（セルＩＤ）選択のための無線デバイスによって実行される方法であって、
無線リソース制御（ＲＲＣ）接続アクションを試みることと、
指定セルＩＤをシステム情報ブロック（ＳＩＢ）内の複数のセルＩＤから選択することと、
前記指定セルＩＤに基づいて指示を決定することと、
ＲＲＣ接続アクションの一部としてネットワークノードに前記指示を送信することと
を含む、方法。
【請求項２】
前記指定セルＩＤが、ＳＩＢ内の第１の発生セルＩＤである、請求項１に記載の方法。
【請求項３】
前記指定セルＩＤが、サフィックスを有さないＳＩＢ内の複数のセルＩＤ内のセルＩＤである、請求項１又は２に記載の方法。
【請求項４】
前記ＲＲＣ接続アクションが、ＲＲＣ接続再確立を含む、請求項１から３のいずれか一項に記載の方法。
【請求項５】
前記ＲＲＣ接続アクションが、ＲＲＣ接続再開を含む、請求項１から３のいずれか一項に記載の方法。
【請求項６】
前記指定セルＩＤが、拡張セルグローバル識別子（ＥＣＧＩ）を含む、請求項１から３のいずれか一項に記載の方法。
【請求項７】
前記指示が、短いメッセージ認証コード−完全性（ｓｈｏｒｔＭＡＣ−Ｉ）又は短い再開メッセージ認証コード−完全性（ｓｈｏｒｔＲｅｓｕｍｅＭＡＣ−Ｉ）を含む、請求項１から６のいずれか一項に記載の方法。
【請求項８】
前記指示を決定することが、前記指定セルＩＤに基づいて前記ｓｈｏｒｔＭＡＣ−Ｉ又はｓｈｏｒｔＲｅｓｕｍｅＭＡＣ−Ｉを計算することを含む、請求項７に記載の方法。
【請求項９】
セル識別子（セルＩＤ）選択のための無線デバイスであって、
無線リソース制御（ＲＲＣ）接続アクションを試みることと、
指定セルＩＤをシステム情報ブロック（ＳＩＢ）内の複数のセルＩＤから選択することと、
前記指定されたセルＩＤに基づいて指示を決定することと、
前記ＲＲＣ接続アクションの一部としてネットワークノードに前記指示を送信することと
を行うように設定された処理回路
を備える、無線デバイス。
【請求項１０】
前記指定セルＩＤが、ＳＩＢ内の第１の発生セルＩＤである、請求項９に記載の無線デバイス。
【請求項１１】
前記指定セルＩＤが、サフィックスを有さないＳＩＢ内の複数のセルＩＤ内のセルＩＤである、請求項９又は１０に記載の無線デバイス。
【請求項１２】
前記ＲＲＣ接続アクションが、ＲＲＣ接続再確立を含む、請求項９から１１のいずれか一項に記載の無線デバイス。
【請求項１３】
前記ＲＲＣ接続アクションが、ＲＲＣ接続再開を含む、請求項９から１１のいずれか一項に記載の無線デバイス。
【請求項１４】
前記指定セルＩＤが、拡張セルグローバル識別子（ＥＣＧＩ）を含む、請求項９から１３のいずれか一項に記載の無線デバイス。
【請求項１５】
前記指示が、短いメッセージ認証コード−完全性（ｓｈｏｒｔＭＡＣ−Ｉ）又は短い再開メッセージ認証コード−完全性（ｓｈｏｒｔＲｅｓｕｍｅＭＡＣ−Ｉ）を含む、請求項９から１４のいずれか一項に記載の無線デバイス。
【請求項１６】
前記指示を決定するとき、前記処理回路が、前記指定セルＩＤに基づいて前記ｓｈｏｒｔＭＡＣ−Ｉ又はｓｈｏｒｔＲｅｓｕｍｅＭＡＣ−Ｉを計算するように設定された、請求項１５に記載の無線デバイス。
【請求項１７】
セル識別子（セルＩＤ）選択のために第１のネットワークノードによって実行される方法であって、
複数のセルＩＤを含むシステム情報ブロック（ＳＩＢ）を無線デバイスに、前記第１のネットワークノードによって、ブロードキャストすることと、
指定セルＩＤを前記ＳＩＢ内の複数のセルＩＤから選択することと、
前記指定セルＩＤを含む第１のメッセージを、第２のネットワークノードに、送信することと、
前記無線デバイスから無線リソース制御（ＲＲＣ）接続アクションに関連する要求を受信することと
を含む、方法。
【請求項１８】
前記ＲＲＣ接続アクションが、ＲＲＣ接続再確立を含む、請求項１７に記載の方法。
【請求項１９】
前記ＲＲＣ接続アクションが、ＲＲＣ接続再開を含む、請求項１７に記載の方法。
【請求項２０】
前記第１のネットワークノードが、無線デバイスに関する目標ネットワークノードとして動作しており、
前記第２のネットワークノードが、無線デバイスに関するソースネットワークノードとして動作している、
請求項１７から１９のいずれか一項に記載の方法。
【請求項２１】
前記第１のネットワークノードが、無線デバイスに関する新しいネットワークノードとして動作しており、
前記第２のネットワークノードが、無線デバイスに関する古いネットワークノードとして動作している、
請求項１７から１９のいずれか一項に記載の方法。
【請求項２２】
前記指定セルＩＤが、前記ＳＩＢ内の第１の発生セルＩＤである、請求項１７から２１のいずれか一項に記載の方法。
【請求項２３】
前記指定セルＩＤが、サフィックスを有さない前記ＳＩＢ内の前記複数のセルＩＤ内のセルＩＤである、請求項１７から２２のいずれか一項に記載の方法。
【請求項２４】
セル識別子（セルＩＤ）選択のための第１のネットワークノードであって、
複数のセルＩＤを含むシステム情報ブロック（ＳＩＢ）を無線デバイスにブロードキャストすることと、
指定セルＩＤを前記ＳＩＢ内の前記複数のセルＩＤから選択することと、
前記指定セルＩＤを含む第１のメッセージを、第２のネットワークノードに、送信することと、
無線リソース制御（ＲＲＣ）接続アクションに関連する要求を前記無線デバイスから受信することと
を行うように設定された処理回路
を備える、第１のネットワークノード。
【請求項２５】
前記ＲＲＣ接続アクションが、ＲＲＣ接続再確立を含む、請求項２４に記載の第１のネットワークノード。
【請求項２６】
前記ＲＲＣ接続アクションが、ＲＲＣ接続再開を含む、請求項２４に記載の第１のネットワークノード。
【請求項２７】
前記第１のネットワークノードが、無線デバイスに関する目標ネットワークノードとして動作しており、
前記第２のネットワークノードが、無線デバイスに関するソースネットワークノードとして動作している、
請求項２５又は２６に記載の第１のネットワークノード。
【請求項２８】
前記第１のネットワークノードが、無線デバイスに関する新しいネットワークノードとして動作しており、
前記第２のネットワークノードが、無線デバイスに関する古いネットワークノードとして動作している、
請求項２４から２７のいずれか一項に記載の第１のネットワークノード。
【請求項２９】
前記指定セルＩＤが、前記ＳＩＢ内の第１の発生セルＩＤである、請求項２４から２８のいずれか一項に記載の第１のネットワークノード。
【請求項３０】
前記指定セルＩＤが、サフィックスを有さない前記ＳＩＢ内の前記複数のセルＩＤ内のセルＩＤである、請求項２４から２９のいずれか一項に記載の第１のネットワークノード。
【発明の詳細な説明】
【背景技術】
【０００１】
プレリリース１４において、ＳＩＢ１は、以下の情報を有した：１つのセル識別情報、１つのトラッキングエリアコード（ＴＡＣ：Ｔｒａｃｋｉｎｇ  Ａｒｅａ  Ｃｏｄｅ）、及び公衆地上移動体通信網（ＰＬＭＮ：Ｐｕｂｌｉｃ  Ｌａｎｄ  Ｍｏｂｉｌｅ  Ｎｅｔｗｏｒｋ）識別情報の１つのリスト。たとえば、ｅＮＢは、以下を送り得る：セルＩＤ：１、ＴＡＣ：Ｍ、及び、ＰＬＭＮ  Ａ、ＰＬＭＮ  Ｂ、ＰＬＭＮ  Ｃ、ＰＬＭＮ  Ｄ、ＰＬＭＮ  Ｅ。
【０００２】
このシグナリングで、すべてのＰＬＭＮ  Ａ〜ＰＬＭＮ  Ｅは、同じセルＩＤ（前述の例では１）及び同じＴＡＣ（前述の例ではＭ）に関連した。異なるオペレータが、異なるＰＬＭＮに関連した場合、それは、次いで、どのセルＩＤ及びどのＴＡＣを使用するかにオペレータが合意することを必要とすることになり、したがって、それらが連係する必要性を生み出し、これは、すべてのシナリオで望ましくない可能性がある。
【０００３】
ＬＴＥリリース１４では、強化がもたらされた。この強化で、異なるＰＬＭＮ（異なるオペレータに関連し得る）は、異なるセルＩＤ／ＴＡＣに関連付けられ得る。たとえば、この強化で、ＰＬＭＮ  Ａ及びＰＬＭＮ  Ｂは１つのセルＩＤ及びＴＡＣを使用することが可能になり、一方、ＰＬＭＮ  Ｃは別のセルＩＤ及びＴＡＣを使用することができ、ＰＬＭＮ  Ｄ及びＰＬＭＮ  Ｅは第３のセルＩＤ及びＴＡＣを使用することができた。その強化で、リスト内の各エントリが１つのセルＩＤ、１つのＴＡＣ及びＰＬＭＮの１つのリストを含む、新しいリストが追加された。したがって、たとえば、ｅＮＢが以下を信号伝達することを可能にする：
レガシフィールド：
セルＩＤ：１
ＴＡＣ：Ｍ
ＰＬＭＮ  Ａ、ＰＬＭＮ  Ｂ
新しいリスト：
リストエントリ１：
セルＩＤ：２
ＴＡＣ：Ｎ
ＰＬＭＮ  Ｃ
リストエントリ２：
セルＩＤ：３
ＴＡＣ：Ｏ
ＰＬＭＮ  Ｄ、ＰＬＭＮ  Ｅ
【０００４】
ＵＥは、ＰＬＭＮを選択し、次いで、セルＩＤ及びＴＡＣをそのＰＬＭＮに関連付けられたものであると考えることになる。たとえば、前述で、ＵＥがＰＬＭＮ  Ａを選択した場合、ＵＥは、セルＩＤを１であると考え、ＴＡＣをＭであると考えることになるが、ＵＥがＰＬＭＮ  Ｃを選択した場合、ＵＥは、セルＩＤを２であると考え、ＴＡＣをＮであると考えることになる。
【０００５】
前述の強化は、ＮＲ仕様においても実施されることになるが、ＮＲ仕様では、１つのみのリストが存在し、そこでは、リスト内の各エントリはＰＬＭＮリスト、セルＩＤ及びＴＡＣを含み、したがって、前述のような「レガシフィールド」は存在しない。
【０００６】
ＬＴＥでは、ネットワークへのＵＥのリンクが、不十分になる場合、ＵＥは、無線リンク障害（ＲＬＦ：Ｒａｄｉｏ  Ｌｉｎｋ  Ｆａｉｌｕｒｅ）手続きをトリガする。たとえば、把握されたダウンリンク品質が閾値未満であり、ランダムアクセス手続きが失敗し、ＲＬＣ再送信の数が閾値を超える／に合致する場合、リンクは不十分であると考えることができる。ＲＬＦがトリガされたとき、ＵＥは、ネットワークへの接続を再確立しようと試みることになる（ある一定の条件を所与として）。ＵＥはまた、たとえば、ハンドオーバが失敗した場合などに、ネットワークへの接続を再確立しようと試みる。
【０００７】
ＵＥが、ネットワークへの接続を再確立しようと試みるとき、ＵＥは、ＵＥが接続を再確立しようと試みる先のｅＮＢ（それは接続が失敗したセル／ｅＮＢと比べて別のセルｅＮＢでもよいということに留意されたい）に以下の情報を含む再確立要求を送る：
・前の接続中に使用されたＣ−ＲＮＴＩ値
・前の接続中にＵＥが接続されたセルの物理セルＩＤ（ＰＣＩ：Ｐｈｙｓｉｃａｌ  Ｃｅｌｌ  ＩＤ）
・ＲＲＣ接続再確立においてＵＥを識別及び検証するために使用されるｓｈｏｒｔＭＡＣ−Ｉ値
・再確立の原因、たとえば、ハンドオーバ障害など、の指示。
【０００８】
この要求を受信するセルにサーブするｅＮＢは、時に、目標ｅＮＢと呼ばれ、一方、障害の前にＵＥが接続されたｅＮＢは、時に、ソースｅＮＢと呼ばれる。目標ｅＮＢは、ＵＥによって提供される情報に基づいて、接続を再確立しようと試みることになる。目標ｅＮＢは、どのｅＮＢがソースｅＮＢであるかを判定し（ＰＣＩを考慮して）、ＵＥのコンテキストを送るようにｅＮＢに要求することによって、これを行うことができる。要求において、目標は、特に、以下の情報を提供する：
・目標セルのセルＩＤ
・Ｃ−ＲＮＴＩは、ＵＥがソースセル内に有した識別子である
・ｓｈｏｒｔＭＡＣ−Ｉ
ソースｅＮＢは、次いで、前述の情報に基づいてＵＥを識別及び検証し、成功した場合、ソースｅＮＢは、ＵＥのコンテキストを目標ｅＮＢに転送する。前述のｓｈｏｒｔＭＡＣ−Ｉは、たとえば、目標セルＩＤを考慮して、計算される。
【０００９】
ＬＴＥの１つの特徴は、ＲＲＣ接続が一時停止及び再開され得るということである。ＲＲＣ接続が、ＵＥについて一時停止されるとき、ＵＥは、ＲＲＣ設定を記憶し、ＵＥが一時停止に移行するときにそう呼ばれるＩＤＬＥモードに移行する。ｅＮＢがＵＥの接続を一時停止するとき、ｅＮＢはまた、識別情報をＵＥに提供する。識別情報は、ＵＥを一時停止したｅＮＢに関する１つの部分及びＵＥ特有の識別子である１つの部分を含む。この識別子は再開ＩＤと呼ばれる。
【００１０】
ＵＥが、後で、ＲＲＣ接続モードに戻るべきである（言い換えれば、ＲＲＣ接続が再開されるべきである）とき、ＵＥは、識別情報をｅＮＢに指示し、これを用いて、ｅＮＢは、どのｅＮＢによってＵＥは一時停止させられたかを判定することができる（ＵＥは、ＩＤＬＥモードで動き回ることができ、したがって、ＵＥは、ＩＤＬＥになる前にＵＥが接続されたｅＮＢと比べて別のｅＮＢに接続することになり得る、ということに留意されたい）。ＵＥが接続を再開しようとする先のｅＮＢは、次いで、ＵＥのコンテキストを提供するように前のｅＮＢに要求し得る。そして、識別情報ｉｄのＵＥ特有の部分は、どの特定のＵＥについて新しいｅＮＢがコンテキストを要求しているかを判定するために前のｅＮＢによって使用される。再開ＩＤに加えて、ＵＥはまた、ＵＥが接続した先のセルのセルＩＤに基づいて、ＲＲＣ再確立についてと同様に、計算される、ｓｈｏｒｔＭＡＣ−Ｉを提供する。
【００１１】
ＲＲＣ接続解放メッセージが、ＵＥを一時停止へ移行させるために使用される。
【００１２】
ある特定の課題が、現在、存在する。たとえば、異なるＰＬＭＮが異なるセルＩＤに関連付けられたセルに関連する複数のセル識別情報を用いて、ＵＥは、どのＰＬＭＮをＵＥが選択したかに応じて、セルＩＤを選択する。現在のＬＴＥでは、これは、ＵＥがＲＲＣ接続セットアップ完了メッセージ（又はＲＲＣ接続再開完了ＮＢメッセージ）を送るときだけに、ｅＮＢに指示され、ＵＥがｅＮＢへの接続を再確立しようと試みるときにはｅＮＢに知られていないことになる。したがって、ｅＮＢには、ＵＥが接続を再確立しようと試みるときにどのセルＩＤをＵＥが考慮しているか、及びどのセルＩＤをＵＥがｓｈｏｒｔＭＡＣ−Ｉの計算への入力として使用したかは分からないことになる。したがって、目標ｅＮＢは、それがＵＥのコンテキストを取得しようと試みるときに、どのセルＩＤがソースｅＮＢを示すかを選択することができないことがある。結果として、再確立の試みは、失敗することがある。
【発明の概要】
【００１３】
既存の解決法での前述の問題に対処するために、セル識別子（セルＩＤ）選択のためのシステム及び方法が開示される。
【００１４】
ある種の実施形態によれば、セルＩＤ選択のために無線デバイスによって実行される方法は、無線リソース制御（ＲＲＣ：ｒａｄｉｏ  ｒｅｓｏｕｒｃｅ  ｃｏｎｔｒｏｌ）接続アクションを試みることを含む。指定セルＩＤが、システム情報ブロック（ＳＩＢ：ｓｙｓｔｅｍ  ｉｎｆｏｒｍａｔｉｏｎ  ｂｌｏｃｋ）内の複数のセルＩＤから選択される。識別子が、指定セルＩＤに基づいて、決定される。識別子が、ＲＲＣ接続アクションの一部としてネットワークノードに送信される。
【００１５】
ある種の実施形態によれば、無線デバイスが、セルＩＤ選択のために用意される。無線デバイスは、ＲＲＣ接続アクションを試みる及び指定セルＩＤをＳＩＢ内の複数のセルＩＤから選択するように設定された処理回路を含む。処理回路はまた、指定セルＩＤに基づいて識別子を決定する及びＲＲＣ接続アクションの一部として識別子をネットワークノードに送信するように設定される。
【００１６】
ある種の実施形態によれば、ネットワークノードによる方法が、セルＩＤ選択のために用意される。本方法は、指定セルＩＤをＳＩＢ内の複数のセルＩＤから選択することと、指定セルＩＤを含む第１のメッセージを、第２のネットワークノードに、送信することとを含む。
【００１７】
ある種の実施形態によれば、ネットワークノードが、セルＩＤ選択のために用意される。ネットワークノードは、指定セルＩＤをＳＩＢ内の複数のセルＩＤから選択する及び指定セルＩＤを含む第１のメッセージを、第２のネットワークノードに、送信するように設定された処理回路を含む。
【００１８】
他の利点が、当業者には容易に明らかとなり得る。ある種の実施形態は、列挙された利点のうちのいずれも含まない、いくつかを含む、又はすべてを含むことがある。
【００１９】
開示される実施形態及びそれらの特徴及び利点のより完全な理解のために、以下のような添付の図面と併せて、以下の説明がここで参照される。
【図面の簡単な説明】
【００２０】
【図１】ある種の実施形態による、セル識別子（セルＩＤ）選択のための例示的無線ネットワークを示す図である。
【図２】ある種の実施形態による、セルＩＤ選択のための例示的ネットワークノードを示す図である。
【図３】ある種の実施形態による、セルＩＤ選択のための例示的無線デバイスを示す図である。
【図４】ある種の実施形態による、セルＩＤ選択のための例示的ユーザ機器を示す図である。
【図５】ある種の実施形態による、いくつかの実施形態によって実装される機能が仮想化され得る、仮想化環境を示す図である。
【図６】ある種の実施形態による、ホストコンピュータに中間ネットワークを介して接続された通信ネットワークを示す図である。
【図７】ある種の実施形態による、部分的ワイヤレス接続を介してユーザ機器と基地局を介して通信するホストコンピュータの一般化されたブロック図である。
【図８】一実施形態による、通信システムにおいて実装される方法を示す図である。
【図９】一実施形態による、通信システムにおいて実装されるもう１つの方法を示す図である。
【図１０】一実施形態による、通信システムにおいて実装されるもう１つの方法を示す図である。
【図１１】一実施形態による、通信システムにおいて実装されるもう１つの方法を示す図である。
【図１２】ある種の実施形態による、セルＩＤ選択のための無線デバイスによる例示的方法を示す図である。
【図１３】ある種の実施形態による、セルＩＤ選択のための無線デバイスによる別の例示的方法を示す図である。
【図１４】ある種の実施形態による、セルＩＤ選択のための例示的仮想コンピューティングデバイスを示す図である。
【図１５】ある種の実施形態による、セルＩＤ選択のためのネットワークノードによる例示的方法を示す図である。
【図１６】ある種の実施形態による、セルＩＤ選択のための別の例示的仮想コンピューティングデバイスを示す図である。
【発明を実施するための形態】
【００２１】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００２２】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００２３】
本開示のある種の態様及びそれらの実施形態は、前述の課題に対する解決策を提供することができる。たとえば、本明細書で開示されるある種の実施形態は、関連ＲＲＣ及び／又はＸ２手続き及び／又はシグナリング及び／又はＩＥ／フィールドにおける間違った又はあいまいなセルＩＤの使用が原因でＲＲＣ接続再確立及び／又は再開の試みが失敗することを避けるための方法を提供する。方法は、手続き及びシグナリングにおいて使用されるセルＩＤに関するあいまいさを解消及び／又は回避する。
【００２４】
本明細書では、ＲＲＣ接続再確立手続きが、記載された実施形態が有用であるときの例として、使用されているが、記載された実施形態は、ＲＲＣ接続再開などの他の状況でも使用され得ることに留意されたい。以下は、ある種の実施形態の高水準記述である。
【００２５】
たとえば、ある種の実施形態によれば、方法は、ｓｈｏｒｔＭＡＣ−Ｉ及び／又はｓｈｏｒｔＲｅｓｕｍｅＭＡＣ−Ｉの計算において指定セルＩＤを使用することを含み得る：
・そこで、指定ＩＤは、ＵＥ及びＮＷの両方によって使用される（バラエティ１．ａ）、或いは、
・そこで、指定ＩＤは、ＵＥによって使用され、目標ｅＮＢは、目標セルに関する何らかのＩＤをソースｅＮＢに指示し、ソースｅＮＢは、目標ｅＮＢによって指示されたＩＤに関連するＩＤのセットを試す（バラエティ１．ｂ）、或いは、
・そこで、指定ＩＤは、ＵＥによって使用され、目標ｅＮＢが、試行錯誤のプロセスでＩＤを通して繰り返すソースｅＮＢにＩＤのセットを提供する（バラエティ１．ｃ）、或いは、
・そこで、指定ＩＤは、ＵＥによって使用され、目標ｅＮＢは、試行錯誤のプロセスでＩＤのセットを通して繰り返す（バラエティ１．ｄ）。
【００２６】
特定の一実施形態において、たとえば、前述でバラエティ１．ａとして識別された方法は、以下のようなｓｈｏｒｔＭＡＣ−Ｉ及び／又はｓｈｏｒｔＲｅｓｕｍｅＭＡＣ−Ｉの計算において指定セルＩＤを使用するネットワークとＵＥとの両方を含み得る（バラエティ１．ａ）：
ａ）ＵＥは、指定セルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいてソースｅＮＢに指定セルＩＤ／ＥＣＧＩを提供する。
ｃ）ソースｅＮＢは、目標ｅＮＢによって提供されたセルＩＤ／ＥＣＧＩを使用して、ｓｈｏｒｔＭＡＣ−Ｉ及び／又はｓｈｏｒｔＲｅｓｕｍｅＭＡＣ−Ｉの有効性を検査する。
ｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
【００２７】
いくつかの実施形態において、ＵＥは、セット内の各エントリが以下を含む、セットを獲得する：
・ＰＬＭＮ  ＩＤのリスト
・セルＩＤ
・ＴＡＣ
【００２８】
ＵＥは、第１のセルＩＤを決定する。このセルＩＤは、ＵＥが選択したＰＬＭＮに関連するセルＩＤであると決定される。たとえば、背景の例を参照することによって、ＵＥが、ＰＬＭＮ  Ｂを選択した場合、ＵＥは、第１のセルＩＤを１であると考える。一方、ＵＥが、ＰＬＭＮ  Ｃを選択した場合、ＵＥは、第１のセルＩＤを２であると考える。
【００２９】
ＵＥは、接続再確立手続きのために使用される第２のセルＩＤを決定する。本明細書で、セルＩＤは接続再確立手続きのために使用されると述べるとき、そのセルＩＤは、その結果として、本明細書では、再確立セルＩＤと呼ばれることになる。このセルＩＤが再確立手続き中に使用されるということは、ＵＥを識別及び／又は検証するために使用される値（たとえば、ｓｈｏｒｔＭＡＣ−Ｉ値）を決定するためにこの第２のセルＩＤをＵＥが使用するということを含み得る。第２のセルＩＤは、ルールに基づいてセルＩＤを選択することによって、決定され得、そこで、ルールは、メッセージ内で発生する第１のセルＩＤを選択することでもよい。たとえば、背景で使用された例における第２のセルＩＤは、第１の発生セルＩＤであるので、１になり得る。
【００３０】
ｅＮＢが、接続を再確立しようと試みているＵＥのコンテキストを要求するための手続きを開始するとき、ｅＮＢ（このシナリオでは、目標ｅＮＢと呼ばれ得る）は、ソースｅＮＢに向けて再確立セルＩＤを指示し得る。この実施形態によれば、ｅＮＢは、ＵＥが適用するのと同じルールを再確立セルＩＤの選択のために適用することになる。
【００３１】
ソースｅＮＢは、次いで、それが目標ｅＮＢから受信した再確立セルＩＤを使用して、目標ｅＮＢによって提供された（目標ｅＮＢがＵＥから得た）ｓｈｏｒｔＭＡＣ−Ｉと予期される／計算されたｓｈｏｒｔＭＡＣ−Ｉを比較することによって、ＵＥを識別及び検証する。
【００３２】
以下は、ＲＲＣにおいて前記をどのように実装するかの一例である。レガシ仕様と比較した変更点は、下線付きテキストで示される。
2021523628.tif 000003
2021523628.tif 000004
【００３３】
以下は、ＲＲＣにおいて前記をどのように実装するかのもう１つの例である。レガシ仕様と比較した変更点は、下線付きテキストで示されている。
2021523628.tif 000005
2021523628.tif 000006
【００３４】
前述の例は、ＲＲＣ接続再確立及びＲＲＣ接続再確立要求に関しているが、類似の／似た例が、ＲＲＣ接続再開及びＲＲＣ接続再開要求に関して考慮され得る。たとえば、
2021523628.tif 000007
2021523628.tif 000008
2021523628.tif 000009
2021523628.tif 000010
【００３５】
前述のバラエティ１．ｂに対応するある種の他の実施形態によれば、方法は、以下のようなｓｈｏｒｔＭＡＣ−Ｉ及び／又はｓｈｏｒｔＲｅｓｕｍｅＭＡＣ−Ｉの計算において、指定されたセルＩＤを使用することを含み得る：
ａ）ＵＥは、ｓｈｏｒｔＭＡＣ−Ｉ及び／又はｓｈｏｒｔＲｅｓｕｍｅＭＡＣ−Ｉの計算において、指定されたセル−Ｉ／ＥＣＧＩを使用する。
ｂ）目標ｅＮＢは、ＲＬＦ指示及び／又はＵＥコンテキスト取得／再開手続きにおいて目標セルに関するセルＩＤ／ＥＣＧＩをソースｅＮＢに提供する。
ｉ）いくつかの実施形態において、目標ｅＮＢは、それの制御下にある及び目標セルに関連するセルＩＤ／ＥＣＧＩを使用する。
ｉｉ）いくつかの実施形態において、目標ｅＮＢは、セルの１次ＰＬＭＮに対応するセルＩＤ／ＥＣＧＩ又はセルの１次セルＩＤ／ＥＣＧＩを使用する。
ｉｉｉ）いくつかの実施形態において、目標ｅＮＢは、ｅＮＢにおいて設定された特別なセルＩＤ／ＥＣＧＩを使用する。
ｉｖ）いくつかの実施形態において、たとえば、目標ｅＮＢが、そのセルＩＤ／ＥＣＧＩがセルの１次ＰＬＭＮに対応する／関連する及び／又はセルの１次セルＩＤ／ＥＣＧＩである、セルのメイン／マスタ制御ｅＮＢではない場合、目標ｅＮＢは、１次ＰＬＭＮに対応する関連するセルＩＤ／ＥＣＧＩで及び／又は関連する１次セルＩＤ／ＥＣＧＩで設定される。
ｃ）ソースｅＮＢは、目標ｅＮＢに及び／又は目標ｅＮＢによって提供／指示されるセルＩＤ／ＥＣＧＩに関連する１セットのセルＩＤ／ＥＣＧＩを使用して、ｓｈｏｒｔＭＡＣ−Ｉ及び／又はｓｈｏｒｔＲｅｓｕｍｅＭＡＣ−Ｉの有効性を検査する。
ｉ）目標ｅＮＢに及び／又は目標ｅＮＢによって提供／指示されるセルＩＤ／ＥＣＧＩに関連するセルＩＤ／ＥＣＧＩのセットは、ソースｅＮＢにおいて設定することができる。
ｉｉ）ソースｅＮＢは、連続して又は並行してセルＩＤ／ＥＣＧＩを試すことができる。
ｉｉｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｉｖ）有効ではない場合、ソースｅＮＢは、セルＩＤ／ＥＣＧＩのセットからの異なる（まだ試されていない）セルＩＤ／ＥＣＧＩで手続きを繰り返す。
【００３６】
前述のバラエティ１．ｃに対応するある種の他の実施形態によれば、方法は、以下のようにｓｈｏｒｔＭＡＣ−Ｉ及び／又はｓｈｏｒｔＲｅｓｕｍｅＭＡＣ−Ｉの計算において指定セルＩＤを使用することを含む：
ａ）ＵＥは、指定セルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいて、セルＩＤ／ＥＣＧＩのセットをソースｅＮＢに提供する。
ｉ）いくつかの実施形態において、セル／ＩＤ＆ＥＣＧＩのセットは、目標セルの物理セルに関連するセルＩＤ／ＥＣＧＩのセットである。
ｉｉ）いくつかの実施形態において、セル／ＩＤ＆ＥＣＧＩのセットは、目標ｅＮＢによってサーブされるセルＩＤ／ＥＣＧＩのセットである。
ｉｉｉ）いくつかの実施形態において、セル／ＩＤ＆ＥＣＧＩのセットは、ｅＮＢにおいて設定された１セットのセルＩＤ／ＥＣＧＩである。
ｃ）ソースｅＮＢは、目標ｅＮＢによって提供されたセルＩＤ／ＥＣＧＩを使用して、ｓｈｏｒｔＭＡＣ−Ｉ及び／又はｓｈｏｒｔＲｅｓｕｍｅＭＡＣ−Ｉの有効性を検査する。
ｉ）ソースｅＮＢは、連続して又は並行してセルＩＤ／ＥＣＧＩを試すことができる。
ｉｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｉｉｉ）有効ではない場合、ソースｅＮＢは、セルＩＤ／ＥＣＧＩのセットからの異なる（まだ試されていない）セルＩＤ／ＥＣＧＩで手続きを繰り返す。
【００３７】
前述のバラエティ１．ｄに対応するある種の他の実施形態によれば、方法は、以下のようにｓｈｏｒｔＭＡＣ−Ｉ及び／又はｓｈｏｒｔＲｅｓｕｍｅＭＡＣ−Ｉの計算において指定セルＩＤを使用することを含む：
ａ）ＵＥは、指定セルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいてセルＩＤ／ＥＣＧＩをソースｅＮＢに提供する。そのセルＩＤ／ＥＣＧＩは、１セットのセルＩＤ／ＥＣＧＩからの１つのセルＩＤ／ＥＣＧＩである。
ｉ）いくつかの実施形態において、セル／ＩＤ＆ＥＣＧＩのセットは、目標セルの物理セルに関連するセルＩＤ／ＥＣＧＩのセットである。
ｉｉ）いくつかの実施形態において、セル／ＩＤ＆ＥＣＧＩのセットは、目標ｅＮＢによってサーブされるセルＩＤ／ＥＣＧＩのセットである。
ｉｉｉ）いくつかの実施形態において、セル／ＩＤ＆ＥＣＧＩのセットは、ｅＮＢにおいて設定された１セットのセルＩＤ／ＥＣＧＩである。
ｃ）ソースｅＮＢは、目標ｅＮＢによって提供されたセルＩＤ／ＥＣＧＩを使用してｓｈｏｒｔＭＡＣ−Ｉ及び／又はｓｈｏｒｔＲｅｓｕｍｅＭＡＣ−Ｉの有効性を検査する。
ｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｄ）ＲＬＦ指示及び／又はＵＥコンテキスト取得／再開手続き（提供されたセルＩＤ／ＥＣＧＩでの）が、成功しない／ＵＥコンテキストを生み出さない／返さない場合、目標ｅＮＢは、セルＩＤ／ＥＣＧＩのセットからの異なる（まだ試されていない）セルＩＤ／ＥＣＧＩで手続きを繰り返す。
【００３８】
ある種の他の実施形態によれば、方法は、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用することを含み得る：
・そこで、ＵＥは、選択されたＰＬＭＮに関連するＩＤを使用し、目標ｅＮＢは、目標セルに関する何らかのＩＤをソースｅＮＢに指示し、ソースｅＮＢは、目標ｅＮＢによって指示されたＩＤに関連するＩＤのセットを試す（バラエティ２．ａ）、或いは、
・そこで、ＵＥは、選択されたＰＬＭＮに関連するＩＤを使用し、目標ｅＮＢは、試行錯誤のプロセスでＩＤを通して繰り返すソースｅＮＢにＩＤのセットを提供する（バラエティ２．ｂ）、或いは、
・そこで、ＵＥは、選択されたＰＬＭＮに関連するＩＤを使用し、目標ｅＮＢは、試行錯誤のプロセスでＩＤのセットを通して繰り返す（バラエティ２．ｃ）。
【００３９】
さらに具体的には、前述のバラエティ２． ａに対応するある種の実施形態によれば、方法は、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用することを含み得る（以下のように）：
ａ）ＵＥは、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいて目標セルに関するセルＩＤ／ＥＣＧＩをソースｅＮＢに提供する。
ｉ）いくつかの実施形態において、目標ｅＮＢは、それの制御下にある及び目標セルに関連するセルＩＤ／ＥＣＧＩを使用する。
ｉｉ）いくつかの実施形態において、目標ｅＮＢは、セルの１次ＰＬＭＮに対応するセルＩＤ／ＥＣＧＩ又はセルの１次セルＩＤ／ＥＣＧＩを使用する。
ｉｉｉ）いくつかの実施形態において、目標ｅＮＢは、ｅＮＢにおいて設定された特別なセルＩＤ／ＥＣＧＩを使用する。
ｉｖ）いくつかの実施形態において、たとえば、目標ｅＮＢが、そのセルＩＤ／ＥＣＧＩがセルの１次ＰＬＭＮに対応する／関連する及び／又はセルの１次セルＩＤ／ＥＣＧＩである、セルのメイン／マスタ制御ｅＮＢではない場合、目標ｅＮＢは、１次ＰＬＭＮに対応する関連するセルＩＤ／ＥＣＧＩで及び／又は関連する１次セルＩＤ／ＥＣＧＩで設定される。
ｃ）ソースｅＮＢは、目標ｅＮＢに及び／又は目標ｅＮＢによって提供／指示されるセルＩＤ／ＥＣＧＩに関連する１セットのセルＩＤ／ＥＣＧＩを使用して、ｓｈｏｒｔＭＡＣ−Ｉ及び／又はｓｈｏｒｔＲｅｓｕｍｅＭＡＣ−Ｉの有効性を検査する。
ｉ）目標ｅＮＢに及び／又は目標ｅＮＢによって提供／指示されるセルＩＤ／ＥＣＧＩに関連するセルＩＤ／ＥＣＧＩのセットは、ソースｅＮＢにおいて設定することができる。
ｉｉ）ソースｅＮＢは、連続して又は並行してセルＩＤ／ＥＣＧＩを試すことができる。
ｉｉｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｉｖ）有効ではない場合、ソースｅＮＢは、セルＩＤ／ＥＣＧＩのセットからの異なる（まだ試されていない）セルＩＤ／ＥＣＧＩで手続きを繰り返す。
【００４０】
前述のバラエティ２．ｂに対応するある種の実施形態によれば、方法は、以下のように、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用することを含み得る：
ａ）ＵＥは、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいて、セルＩＤ／ＥＣＧＩのセットをソースｅＮＢに提供する。
ｉ）いくつかの実施形態において、セル／ＩＤ＆ＥＣＧＩのセットは、目標セルの物理セルに関連するセルＩＤ／ＥＣＧＩのセットである。
ｉｉ）いくつかの実施形態において、セル／ＩＤ＆ＥＣＧＩのセットは、目標ｅＮＢによってサーブされるセルＩＤ／ＥＣＧＩのセットである。
ｉｉｉ）いくつかの実施形態において、セル／ＩＤ＆ＥＣＧＩのセットは、ｅＮＢにおいて設定された１セットのセルＩＤ／ＥＣＧＩである。
ｃ）ソースｅＮＢは、目標ｅＮＢによって提供されたセルＩＤ／ＥＣＧＩを使用して、ｓｈｏｒｔＭＡＣ−Ｉ及び／又はｓｈｏｒｔＲｅｓｕｍｅＭＡＣ−Ｉの有効性を検査する
ｉ）ソースｅＮＢは、連続して又は並行してセルＩＤ／ＥＣＧＩを試すことができる。
ｉｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｉｉｉ）有効ではない場合、ソースｅＮＢは、セルＩＤ／ＥＣＧＩのセットからの異なる（まだ試されていない）セルＩＤ／ＥＣＧＩで手続きを繰り返す。
【００４１】
前述のバラエティ２．ｃに対応するある種の実施形態によれば、方法は、以下のように、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用することを含み得る：
ａ）ＵＥは、選択されたＰＬＭＮに関連するセルＩＤ／ＥＣＧＩをｓｈｏｒｔＭＡＣ−Ｉ及び／又はｓｈｏｒｔＲｅｓｕｍｅＭＡＣ−Ｉの計算において使用する。
ｂ）目標ｅＮＢは、ＲＬＦ指示及び／又はＵＥコンテキスト取得／再開手続きにおいてセルＩＤ／ＥＣＧＩをソースｅＮＢに提供する。そのセルＩＤ／ＥＣＧＩは、１セットのセルＩＤ／ＥＣＧＩからの１つのセルＩＤ／ＥＣＧＩである。
ｉ）いくつかの実施形態において、セルＩＤ／ＥＣＧＩのセットは、目標セルの物理セルに関連するセルＩＤ／ＥＣＧＩのセットである。
ｉｉ）いくつかの実施形態において、セルＩＤ／ＥＣＧＩのセットは、目標ｅＮＢによってサーブされるセルＩＤ／ＥＣＧＩのセットである。
ｉｉｉ）いくつかの実施形態において、セルＩＤ／ＥＣＧＩのセットは、ｅＮＢにおいて設定された１セットのセルＩＤ／ＥＣＧＩである。
ｃ）ソースｅＮＢは、目標ｅＮＢによって提供されたセルＩＤ／ＥＣＧＩを使用してｓｈｏｒｔＭＡＣ−Ｉ及び／又はｓｈｏｒｔＲｅｓｕｍｅＭＡＣ−Ｉの有効性を検査する。
ｉ）ｓｈｏｒｔＭＡＣ−Ｉ及び／又はｓｈｏｒｔＲｅｓｕｍｅＭＡＣ−Ｉが有効である場合、ソースｅＮＢは、ＵＥコンテキストを目標ｅＮＢに提供する。
ｉｉ）ＲＬＦ指示及び／又はＵＥコンテキスト取得／再開手続き（提供されたセルＩＤ／ＥＣＧＩでの）が、成功しない／ＵＥコンテキストを生み出さない／返さない場合、目標ｅＮＢは、セルＩＤ／ＥＣＧＩのセットからの異なる（まだ試されていない）セルＩＤ／ＥＣＧＩで手続きを繰り返すことができる。
【００４２】
目標セルが１次ＰＬＭＮを有する場合など、ある種の実施形態によれば、ｓｈｏｒｔＭＡＣ−Ｉの計算において及び／又はＲＬＦ指示又は再開／ＵＥコンテキスト検索のために使用される指定セルＩＤ／ＥＣＧＩは、（物理）セルの１次ＰＬＭＮに対応するセルＩＤ／ＥＣＧＩである。
【００４３】
目標セルが１次セルＩＤ／ＥＣＧＩを有する場合など、ある種の実施形態によれば、ｓｈｏｒｔＭＡＣ−Ｉの計算において及び／又はＲＬＦ指示又は再開／ＵＥコンテキスト検索のために使用される指定セルＩＤ／ＥＣＧＩは、セルの１次セルＩＤ／ＥＣＧＩである。
【００４４】
目標セルが（指定された）１次ＰＬＭＮ又は１次セルＩＤ／ＥＣＧＩを有さない場合など、ある種の実施形態によれば：
ａ）目標セルは、ｓｈｏｒｔＭＡＣ−Ｉの計算において及びＲＬＦ指示及び／又は再開／ＵＥコンテキスト検索のために使用されることになるセルＩＤ／ＥＣＧＩとして１つのセルＩＤ／ＥＣＧＩを指定する。
ｂ）別法として、目標セルは、ｓｈｏｒｔＭＡＣ−Ｉの計算における及びＲＬＦ指示及び／又は再開／ＵＥコンテキスト検索のためにセルＩＤ／ＥＣＧＩとして使用されることになる関連セルＩＤ／ＥＣＧＩに１つのＰＬＭＮを指定する。
【００４５】
ある種の実施形態によれば、指定セルＩＤ／ＥＣＧＩは、ｅＮＢにおいて設定されたセルＩＤ／ＥＣＧＩである。
【００４６】
目標ｅＮＢが、そのセルＩＤ／ＥＣＧＩが指定セルＩＤ／ＥＣＧＩである、セルのメイン／マスタ制御ｅＮＢではない場合など、ある種の実施形態によれば、目標ｅＮＢは、関連する（指定された）セルＩＤ／ＥＣＧＩで設定される。
【００４７】
ある種の実施形態によれば、指定セルＩＤ／ＥＣＧＩ及び／又は指定ＰＬＭＮは、たとえば、システム情報などにおいて、ＵＥに指示される。
【００４８】
ある種の実施形態によれば、ｓｈｏｒｔＭＡＣ−Ｉ及び／又はｓｈｏｒｔＲｅｓｕｍｅＭＡＣ−Ｉが有効である場合にソースｅＮＢがＵＥコンテキストを提供する先の目標ｅＮＢは：
・いくつかの実施形態において、ＵＥコンテキストのための目標ｅＮＢは、ＲＬＦ指示又はＵＥコンテキスト取得手続きを始めたｅＮＢである。
・いくつかの実施形態において、ＵＥコンテキストのための目標ｅＮＢは、ＲＬＦ指示及び／又はＵＥコンテキスト取得／再開手続きにおいてセルＩＤ／ＥＣＧＩによって提供／指示されたセルＩＤ／ＥＣＧＩに関連するｅＮＢである。
・いくつかの実施形態において、ＵＥコンテキストのための目標ｅＮＢは、ｓｈｏｒｔＭＡＣ−Ｉ及び／又はｓｈｏｒｔＲｅｓｕｍｅＭＡＣ−Ｉが有効であるセルＩＤ／ＥＣＧＩに関連するｅＮＢである。
・いくつかの実施形態において、ソースｅＮＢは、ｓｈｏｒｔＭＡＣ−Ｉ及び／又はｓｈｏｒｔＲｅｓｕｍｅＭＡＣ−Ｉが有効であるセルＩＤ／ＥＣＧＩが、ＲＬＦ指示及び／又はＵＥコンテキスト取得／再開手続き／メッセージにおいて提供／指示されたセルＩＤ／ＥＣＧＩに及び／又はＲＬＦ指示又はＵＥコンテキスト取得／再開手続きを始めたｅＮＢに関連している及び／又は対応していることを（ＵＥコンテキストを目標ｅＮＢに提供する前に）検証する。
・いくつかの実施形態において、ソースｅＮＢは、ＲＬＦ指示及び／又はＵＥコンテキスト取得／再開手続き／メッセージにおいて提供／指示されたセルＩＤ／ＥＣＧＩが、ＲＬＦ指示又はＵＥコンテキスト取得／再開手続きを始めたｅＮＢに対応していることを（ＵＥコンテキストを目標ｅＮＢに提供する前に）検証する。
【００４９】
無線リンク障害（ＲＬＦ）報告及び接続確立障害報告について、ＵＥは、選択されたＰＬＭＮに関連するセルＩＤを報告し得ると考えられている。本発明のいくつかの実施形態において、ＲＲＣ接続再確立又はＲＲＣ接続再開との関連でＵＥ及び／又はＮＷノードによって使用及び／又は報告されるセルＩＤは、ＲＬＦ及び／又は接続確立障害報告との関連で使用及び／又は報告されるセルＩＤとは異なる。たとえば、ＵＥ及び／又はＮＷノードは、ＲＬＦ報告又は接続確立障害報告のためのとは異なるセルＩＤをＲＲＣ接続再確立及び／又はＲＲＣ接続再開のために使用／報告するために選択することができる。
【００５０】
どのコンテキストで何が報告され得るかの例：
・接続再確立：前述の実施形態による知られているルールに基づくセルＩＤ
−  ＲＲＣ接続再確立要求に含まれるフィールド／ＩＥ  ｓｈｏｒｔＭＡＣ−Ｉの計算において使用されるＶａｒｓｈｏｒｔＭＡＣ入力内のフィールド／ＩＥセル識別情報として
−  Ｘ２  ＲＬＦ指示内の再確立セルＥＣＧＩとして
・接続再開：後述の実施形態による知られているルールに基づくセルＩＤ
−  ＲＲＣ接続再開要求におけるフィールド／ＩＥ  ＳｈｏｒｔＲｅｓｕｍｅＭＡＣ−Ｉの計算において使用されるＶａｒＳｈｏｒｔＲｅｓｕｍｅＭＡＣ入力内のファイルされた／ＩＥセル識別情報として
−  Ｘ２ＵＥコンテキスト取得要求における新しいＥ−ＵＴＲＡＮセル識別子として
・無線リンク障害報告：選択されたＰＬＭＮに関連するセルＩＤ／セル識別情報
−  ＵＥ情報応答におけるＩＥ  ＲＬＦ報告におけるフィールド／ＩＥ障害ＰＣｅｌｌＩｄとして
−  Ｘ２ＲＬＦ指示における再確立セルＥＣＧＩとして
・接続確立障害報告：選択されたＰＬＭＮに関連するセルＩＤ／セル識別情報
−  ＵＥ情報応答におけるＩＥ  ＣｏｎｎＥｓｔＦａｉｌＲｅｐｏｒｔにおけるフィールド／ＩＥ障害セルＩｄとして
【００５１】
本明細書では、セルＩＤ／セル−ＩＤ／セルＩｄは、Ｅ−ＵＴＲＡＮセル識別情報（ＥＣＩ：Ｅ−ＵＴＲＡＮ  Ｃｅｌｌ  Ｉｄｅｎｔｉｔｙ）、セル識別情報、ＥＣＩ／セル識別情報のセルＩＤ部分、物理セルＩｄ（ＰＣＩ）或いは何らかの他の関連するセル識別子又はセル識別情報でもよい、それを指す、それに対応する、又はそれに関することがあることが、理解されよう。
【００５２】
いくつかの実施形態又はシナリオにおいて、ＲＲＣは、クラウドにおいて実装され得、したがって、いくつかの実施形態は、クラウド実装形態に適用可能になり得る。
【００５３】
図１は、いくつかの実施形態による例示的無線ネットワークを示す。本明細書に記載の主題は、任意の適切な構成要素を使用する任意の適切なタイプのシステムにおいて実装され得るが、本明細書で開示される実施形態は、図１に示された例示的ワイヤレスネットワークなど、ワイヤレスネットワークに関連して説明される。簡単にするために、図１のワイヤレスネットワークは、ネットワーク１０６、ネットワークノード１６０及び１６０ｂ、並びにワイヤレスデバイス（ＷＤ）１１０のみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００５４】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００５５】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００５６】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００５７】
図２は、ある種の実施形態による、例示的ネットワークノード１６０を示す。本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００５８】
図２において、ネットワークノード１６０は、処理回路１７０、デバイス可読媒体１８０、インターフェース１９０、補助機器１８４、電源１８６、電力回路１８７、及びアンテナ１６２を含む。図１の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００５９】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【００６０】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００６１】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【００６２】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００６３】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【００６４】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００６５】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャンネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００６６】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、インターフェース１９０は、デジタルユニット（図示せず）の一部であるベースバンド処理回路１７４と通信し得る。
【００６７】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００６８】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００６９】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００７０】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図２に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００７１】
図３は、ある種の実施形態による、例示的ＷＤを示す。本明細書では、ＷＤは、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバ���ルデバイス又はモバイル端末とも称され得る。
【００７２】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【００７３】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【００７４】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャンネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【００７５】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【００７６】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【００７７】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【００７８】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【００７９】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【００８０】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【００８１】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【００８２】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【００８３】
図４は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナーシッププロジェクト（３ＧＰＰ）によって識別された任意のＵＥでもよい。図４に示されているような、ＵＥ２００は、３ＧＰＰのＧＳＭ、ＵＭＴＳ、ＬＴＥ、及び／又は５Ｇ標準など、第３世代パートナーシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図４はＵＥであるが、本明細書で論じられる構成要素は、ＷＤに同等に適用可能であり、逆もまた同様である。
【００８４】
図４では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図４に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【００８５】
図４では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【００８６】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【００８７】
図４では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【００８８】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【００８９】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【００９０】
図４において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．１１、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【００９１】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【００９２】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【００９３】
図５は、いくつかの実施形態によって実装される機能が仮想化され得る、仮想化環境３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【００９４】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【００９５】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【００９６】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【００９７】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【００９８】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【００９９】
図５に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１００】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１０１】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１０２】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図５のアプリケーション３２０に対応する。
【０１０３】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１０４】
一部の実施形態では、一部のシグナリングは、別法としてハードウェアノード３３０と無線ユニット３２００との間の通信のために使用され得る制御システム３２３０の使用の影響を受け得る。
【０１０５】
図６は、いくつかの実施形態によるホストコンピュータに中間ネットワークを介して接続された通信ネットワークを示す。図６を参照すると、一実施形態によれば、通信システムは、アクセスネットワーク４１１、たとえば、無線アクセスネットワーク、及びコアネットワーク４１４を含む、通信ネットワーク４１０、たとえば、３ＧＰＰタイプセルラネットワーク、を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１０６】
通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１０７】
全体としての図６の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１０８】
図７は、いくつかの実施形態による部分的無線接続を介してユーザ機器と基地局を介して通信するホストコンピュータを示す。前段落で論じられたＵＥ、基地局及びホストコンピュータの一実施形態による例示的実装形態について、図７を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１０９】
通信システム５００はさらに、通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図７には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、通信システムのコアネットワーク（図７には図示せず）を通過及び／又は通信システム外部の１つ又は複数の中間ネットワークを通過してもよい。示されている実施形態において、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１１０】
通信システム５００はさらに、既に参照したＵＥ５３０を含む。それのハードウェア５３５は、ＵＥ５３０が現在位置するカバレッジエリアにサーブする基地局を有する無線接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ或いは命令を実行するようになされたこれらの組合せ（図示せず）を含み得る、処理回路５３８を含む。ＵＥ５３０はさらに、ＵＥ５３０に記憶された若しくはＵＥ５３０によってアクセス可能な及び処理回路５３８によって実行可能な、ソフトウェア５３１を備える。ソフトウェア５３１は、クライアントアプリケーション５３２を含む。クライアントアプリケーション５３２は、ホストコンピュータ５１０の支援を受けて、人間の又は人間ではないユーザにＵＥ５３０を介してサービスを提供するように動作可能になり得る。ホストコンピュータ５１０において、実行ホストアプリケーション５１２は、ＵＥ５３０及びホストコンピュータ５１０で終了するＯＴＴ接続５５０を介して実行クライアントアプリケーション５３２と通信することができる。ユーザへのサービスの提供において、クライアントアプリケーション５３２は、ホストアプリケーション５１２から要求データを受信し、要求データに応答してユーザデータを提供することができる。ＯＴＴ接続５５０は、要求データとユーザデータとの両方を転送することができる。クライアントアプリケーション５３２は、それが提供するユーザデータをユーザと対話して生成することができる。
【０１１１】
図７に示されたホストコンピュータ５１０と、基地局５２０と、ＵＥ５３０とは、それぞれ、図６のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図７に示されるようでもよく、独立して、周囲のネットワークトポロジは、図６のそれでもよい。
【０１１２】
図７において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１１３】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。さらに正確には、これらの実施形態の教示は、再確立及び接続再開の成功率を向上させ、それにより、接続時間の改善及びサービスの中断の減少などの利益をもたらすことができる。
【０１１４】
測定手続きは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定手続き及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定手続きに参加し得る。ＯＴＴ接続５５０の再設定は、メッセージフォーマット、再送信設定、好ましいルーティングなどを含み得、再設定は基地局５２０に影響を及ぼす必要はなく、それは基地局５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１１５】
図８は、１つの実施形態による、通信システムにおいて実装される方法を示す流れ図である。通信システムは、図６及び７を参照して説明されるものでもよいホストコンピュータ、基地局及びＵＥを含む。本開示を簡単にするために、図８の図面の参照のみが、このセクションに含まれることになる。ステップ６１０で、ホストコンピュータは、ユーザデータを提供する。ステップ６１０のサブステップ６１１（任意選択でもよい）において、ホストコンピュータは、ホストアプリケーションを実行することによって、ユーザデータを提供する。ステップ６２０で、ホストコンピュータは、ユーザデータをＵＥに運ぶ送信を開始する。ステップ６３０（任意選択でもよい）で、基地局は、本開示を通して説明される実施形態の教示に従って、ホストコンピュータが開始した送信で運ばれたユーザデータをＵＥに送信する。ステップ６４０（これも任意選択でもよい）で、ＵＥは、ホストコンピュータによって実行されるホストアプリケーションに関連するクライアントアプリケーションを実行する。
【０１１６】
図９は、１つの実施形態による、通信システムにおいて実装される方法を示す流れ図である。通信システムは、ホストコンピュータ、基地局、及び図６及び７を参照して説明されたものでもよいＵＥを含む。本開示を単純化するために、図９の図面の参照のみが、このセクションに含まれる。本方法のステップ７１０で、ホストコンピュータは、ユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）において、ＵＥは、その送信において運ばれたユーザデータを受信する。
【０１１７】
図１０は、１つの実施形態による、通信システムにおいて実装される方法を示す流れ図である。通信システムは、図６及び７を参照して説明されるものでもよいホストコンピュータ、基地局及びＵＥを含む。本開示を簡単にするために、図１０の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１１８】
図１１は、１つの実施形態による、通信システムにおいて実装された方法を示す流れ図である。通信システムは、図６及び７を参照して説明されるものでもよいホストコンピュータ、基地局及びＵＥを含む。本開示を簡単にするために、図１１の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１１９】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、本開示の１つ又は複数の実施形態による対応する機能をそれぞれの機能ユニットに実行させるために使用され得る。
【０１２０】
図１２は、ある種の実施形態による、無線デバイスによる方法を示す。本方法は、指定ＩＤを無線デバイスが取得する、ステップ１００２で開始する。ステップ１００４で、無線デバイスは、指定ＩＤを使用してｓｈｏｒｔＭＡＣ−Ｉ又はｓｈｏｒｔＲｅｓｕｍｅＭＡＣ−Ｉを計算する。ステップ１００６において、無線デバイスは、計算されたｓｈｏｒｔＭＡＣ−Ｉ又はｓｈｏｒｔＲｅｓｕｍｅＭＡＣ−Ｉを含むメッセージを送信する。メッセージは、目標ネットワークノード（たとえば、ハンドオーバ目標）に送信され得る。目標ネットワークノードは、指定ＩＤをソースネットワークノードに提供することができる。ソースネットワークノードは、ｓｈｏｒｔＭＡＣ−Ｉ又はｓｈｏｒｔＲｅｓｕｍｅＭＡＣ−Ｉの有効性を検査することができる。それらが有効である場合、ソースネットワークノードは、無線デバイスコンテキストを目標ネットワークノードに提供する。
【０１２１】
図１３は、ある種の実施形態による、セルＩＤ選択のための無線デバイスによる例示的方法１１００を示す。図示されたステップは、一例として提供されており、任意の適切な順番で実行され得ると一般に認識される。追加の又はより少ないステップが、必要に応じて、実行され得る。
【０１２２】
本方法は、無線デバイス１１０が無線リソース制御（ＲＲＣ）接続アクションを試みるとき、ステップ１１０２で開始する。ステップ１１０４で、無線デバイス１１０は、システム情報ブロック（ＳＩＢ）内の複数のセルＩＤから指定セルＩＤを選択する。ステップ１１０６で、無線デバイス１１０は、指定セルＩＤに基づいて、識別子を決定する。ステップ１１０８で、無線デバイス１１０は、ＲＲＣ接続アクションの一部としてネットワークノードに識別子を送信する。
【０１２３】
特定の一実施形態において、指定セルＩＤは、ＳＩＢ内の第１の発生セルＩＤ及び／又はサフィックスを有さないＳＩＢ内の複数のセルＩＤ内のセルＩＤである。
【０１２４】
特定の一実施形態において、ＲＲＣ接続アクションは、ＲＲＣ接続再確立を含む。もう１つの実施形態において、ＲＲＣ接続アクションは、ＲＲＣ接続再開を含む。
【０１２５】
特定の一実施形態において、指定セルＩＤは、拡張セルグローバル識別子（ＥＣＧＩ：ｅｘｔｅｎｄｅｄ  Ｃｅｌｌ  Ｇｌｏｂａｌ  Ｉｄｅｎｔｉｆｉｅｒ）を含む。
【０１２６】
特定の一実施形態において、識別子は、ｓｈｏｒｔＭＡＣ−Ｉ又はｓｈｏｒｔＲｅｓｕｍｅＭＡＣ−Ｉを含む。さらなる特定の一実施形態において、指定セルＩＤに基づいて識別子を決定するとき、無線デバイス１１０は、指定セルＩＤに基づいてｓｈｏｒｔＭＡＣ−Ｉ又はｓｈｏｒｔＲｅｓｕｍｅＭＡＣ−Ｉを計算することができる。
【０１２７】
ある種の実施形態において、前述のようなセルＩＤ選択のための方法は、コンピュータネットワーキング仮想装置によって実行され得る。図１４は、ある種の実施形態による、セルＩＤ選択のための例示的仮想コンピューティングデバイス１２００を示す。ある種の実施形態において、仮想コンピューティングデバイス１２００は、図１３で図示及び説明されている方法に関して前述されたものと類似のステップを実行するためのモジュールを含み得る。たとえば、仮想コンピューティングデバイス１２００は、試行モジュール１２１０、選択モジュール１２２０、決定モジュール１２３０、送信モジュール１２４０、及びセルＩＤ選択のための任意の他の適切なモジュールを含み得る。いくつかの実施形態において、モジュールのうちの１つ又は複数は、図３の処理回路１２０によって実装され得る。ある種の実施形態において、様々なモジュールのうちの２つ以上のモジュールの機能が、単一モジュール内に結合され得る。
【０１２８】
試行モジュール１２１０は、仮想コンピューティングデバイス１２００の試行機能を実行することができる。たとえば、特定の一実施形態において、試行モジュール１２１０は、ＲＲＣ接続アクションを試行することができる。
【０１２９】
選択モジュール１２２０は、仮想コンピューティングデバイス１２００の選択機能を実行することができる。たとえば、特定の一実施形態において、選択モジュール１２２０は、指定セルＩＤをシステム情報ブロック（ＳＩＢ）内の複数のセルＩＤから選択することができる。
【０１３０】
決定モジュール１２３０は、仮想コンピューティングデバイス１２００の決定機能を実行することができる。たとえば、特定の一実施形態において、決定モジュール１２３０は、指定セルＩＤに基づいて識別子を決定することができる。
【０１３１】
送信モジュール１２３０は、仮想コンピューティングデバイス１２００の送信機能を実行することができる。たとえば、特定の一実施形態において、送信モジュール１２３０は、ＲＲＣ接続アクションの一部として識別子をネットワークノードに送信することができる。
【０１３２】
仮想コンピューティングデバイス１２００の他の実施形態は、前述の機能性及び／又は任意の追加の機能性のいずれかを含む（前述の解決法をサポートするために必要な任意の機能性を含む）、ワイヤレスデバイスの機能性のある特定の態様を提供する責任を有し得る図１４に示されたもの以上の追加の構成要素を含み得る。様々な異なるタイプのワイヤレスデバイス１１０は、同じ物理ハードウェアを有するが異なる無線アクセス技術をサポートするように設定された（たとえば、プログラミングを介して）構成要素を含み得る、或いは部分的に又は完全に異なる物理構成要素を表し得る。
【０１３３】
図１５は、ある種の実施形態による、セルＩＤ選択のためのネットワークノード１６０による例示的方法１３００を示す。本方法は、ネットワークノード１６０が複数のセルＩＤを含むＳＩＢを無線デバイス１１０にブロードキャストするとき、ステップ１３０２で開始する。ステップ１３０４において、ネットワークノード１６０は、指定セルＩＤをＳＩＢ内の複数のセルＩＤから選択する。ステップ１３０６において、ネットワークノード１６０は、指定セルＩＤを含む第１のメッセージを、第２のネットワークノード１６０に、送信する。ステップ１３０８において、ネットワークノード１６０は、ＲＲＣ接続アクションに関連する要求を無線デバイス１１０から受信する。
【０１３４】
特定の一実施形態において、ＲＲＣ接続アクションは、ＲＲＣ接続再確立又はＲＲＣ接続再開を含む。
【０１３５】
特定の一実施形態において、第１のネットワークノードは、無線デバイスに関する目標ネットワークノードとして動作しており、第２のネットワークノードは、無線デバイスに関するソースネットワークノードとして動作している。
【０１３６】
特定の一実施形態において、第１のネットワークノードは、無線デバイスに関する新しいネットワークノードとして動作しており、第２のネットワークノードは、無線デバイスに関する古いネットワークノードとして動作している。
【０１３７】
特定の一実施形態において、指定セルＩＤは、ＳＩＢ内の第１の発生セルＩＤ及び／又はサフィックスを有さないＳＩＢ内の複数のセルＩＤ内のセルＩＤである。
【０１３８】
特定の一実施形態において、前述のようなセルＩＤ選択のための方法は、コンピュータネットワーキング仮想装置によって実行され得る。図１６は、ある種の実施形態による、セルＩＤ選択のための例示的仮想コンピューティングデバイス１４００を示す。ある種の実施形態において、仮想コンピューティングデバイス１４００は、図１５に図示及び説明されている方法に関して前述したものと類似のステップを実行するためのモジュールを含み得る。たとえば、仮想コンピューティングデバイス１４００は、少なくとも１つのブロードキャストモジュール１４１０、選択モジュール１４２０、送信モジュール１４３０、受信モジュール１４４０、及びセルＩＤ選択のための任意の他の適切なモジュールを含み得る。いくつかの実施形態において、モジュールのうちの１つ又は複数は、図２の処理回路１７０を使用して実装され得る。ある種の実施形態において、様々なモジュールのうちの２つ以上のモジュールの機能が、単一モジュール内に結合され得る。
【０１３９】
ブロードキャストモジュール１４１０は、仮想コンピューティングデバイス１４００のブロードキャスト機能を実行することができる。たとえば、特定の一実施形態において、ブロードキャストモジュール１４１０は、複数のセルＩＤを含むＳＩＢを無線デバイス１１０にブロードキャストすることができる。
【０１４０】
選択モジュール１４２０は、仮想コンピューティングデバイス１４００の選択機能を実行することができる。たとえば、特定の一実施形態において、選択モジュール１４２０は、指定セルＩＤをＳＩＢ内の複数のセルＩＤから選択することができる。
【０１４１】
送信モジュール１４３０は、仮想コンピューティングデバイス１４００の送信機能を実行することができる。たとえば、特定の一実施形態において、送信モジュール１４３０は、指定セルＩＤを含む第１のメッセージを、第２のネットワークノードに、送信することができる。
【０１４２】
受信モジュール１４４０は、仮想コンピューティングデバイス１４００の受信機能を実行することができる。たとえば、特定の一実施形態において、受信モジュール１４４０は、ＲＲＣ接続アクションに関連する要求を無線デバイス１１０から受信することができる。
【０１４３】
仮想コンピューティングデバイス１４００の他の実施形態は、前述の機能性及び／又は任意の追加の機能性のうちのいずれかを含む（前述の解決法をサポートするために必要な任意の機能性を含む）、ネットワークノード１６０の機能性のある特定の態様を提供する責任を有し得る図１６に示されたもの以上の追加の構成要素を含み得る。様々な異なるタイプのネットワークノード１６０は、同じ物理ハードウェアを有するが異なる無線アクセス技術をサポートするように設定された（たとえば、プログラミングを介して）構成要素を含み得る、或いは部分的に又は完全に異なる物理構成要素を表し得る。
【０１４４】
ユニット又はモジュールという用語は、電子機器、電気デバイス及び／又は電子デバイスの分野における従来の意味を有し得、たとえば、本明細書に記載されたものなど、それぞれのタスク、手続き、計算、出力、及び／又は表示機能などを実施するための電気及び／又は電子回路、デバイス、モジュール、プロセッサ、メモリ、ロジックソリッドステート及び／又はディスクリートデバイス、コンピュータプログラム又は命令を含み得る。
【０１４５】
例示的実施形態
実施形態Ａ１。セルＩＤ選択のための無線デバイスによって実行される方法であって、以下を含む方法：
−  ＲＲＣ接続アクションを試みることと、
−  セルＩＤを含むｓｈｏｒｔＭＡＣ−Ｉ又はｓｈｏｒｔＲｅｓｕｍｅＭＡＣ−Ｉを決定することと、
−  ＲＲＣ接続アクションの一部としてネットワークノードにｓｈｏｒｔＭＡＣ−Ｉ又はｓｈｏｒｔＲｅｓｕｍｅＭＡＣ−Ｉを送信すること。
【０１４６】
実施形態Ａ２。ＲＲＣ接続アクションが、ＲＲＣ接続再確立を含む、実施形態Ａ１の方法。
【０１４７】
実施形態Ａ３。ＲＲＣ接続アクションが、ＲＲＣ接続再開を含む、実施形態Ａ１の方法。
【０１４８】
実施形態Ａ４。セルＩＤが、指定ＩＤを含む、実施形態Ａ１からＡ３の方法。
【０１４９】
実施形態Ａ５。ＰＬＭＮを選択することをさらに含み、そこで、セルＩＤが、選択されたＰＬＭＮに関連するセルＩＤ又はＥＣＧＩを含む、実施形態Ａ１からＡ３の方法。
【０１５０】
実施形態Ｂ１。セルＩＤ選択のための基地局によって実行される方法であって、以下を含む方法：
−  セルＩＤを含む第１のメッセージを受信することと、
−  セルＩＤを使用するＲＲＣ接続アクションを試みること。
【０１５１】
実施形態Ｂ２。第１のメッセージが、セルＩＤを有するｓｈｏｒｔＭＡＣ−Ｉを含む、Ｂ１の方法。
【０１５２】
実施形態Ｂ３。第１のメッセージが、セルＩＤを有するｓｈｏｒｔＲｅｓｕｍｅＭＡＣ−Ｉを含む、実施形態Ｂ１の方法。
【０１５３】
実施形態Ｂ４。ＲＲＣ接続アクションが、ＲＲＣ接続再確立を含む、実施形態Ｂ１からＢ３の方法。
【０１５４】
実施形態Ｂ５。ＲＲＣ接続アクションが、ＲＲＣ接続再開を含む、実施形態Ｂ１からＢ３の方法。
【０１５５】
実施形態Ｂ６。セルＩＤに関連する１つ又は複数のＩＤを識別することをさらに含む、実施形態Ｂ１からＢ４の方法。
【０１５６】
実施形態Ｂ７。第１のメッセージが、複数のセルＩＤを含む、実施形態Ｂ１からＢ６の方法。
【０１５７】
実施形態Ｃ１。セルＩＤ選択のための無線デバイスであって、以下を備える無線デバイス：
−  グループＡ実施形態のうちのいずれかの実施形態のステップのうちのいずれかを実行するように設定された処理回路と、
−  無線デバイスに電力を供給するように設定された電源回路。
【０１５８】
実施形態Ｃ２。セルＩＤ選択のための基地局であって、以下を備える基地局：
−  グループＢ実施形態のうちのいずれかの実施形態のステップのうちのいずれかを実行するように設定された処理回路と、
−  無線デバイスに電力を供給するように設定された電源回路。
【０１５９】
実施形態Ｃ３。セルＩＤ選択のためのユーザ機器（ＵＥ）であって、以下を備えるＵＥ：
−  無線信号を送信及び受信するように設定されたアンテナと、
−  アンテナに及び処理回路に接続された、及びアンテナと処理回路との間で通信される信号を述べるように設定された、無線フロントエンド回路と、
−  グループＡ実施形態のうちのいずれかの実施形態のステップのうちのいずれかを実行するように設定された処理回路と、
−  処理回路に接続された、及びＵＥへの情報の入力が処理回路によって処理されることを可能にするように設定された、入力インターフェースと、
−  処理回路に接続された、及び処理回路によって処理されたＵＥからの情報を出力するように設定された、出力インターフェースと、
−  処理回路に接続された、及びＵＥに電力を供給するように設定された、バッテリ。
【０１６０】
実施形態Ｃ４。以下を備えるホストコンピュータを含む通信システム：
−  ユーザデータを提供するように設定された処理回路と、
−  ユーザ機器（ＵＥ）に送信するためにセルラネットワークにユーザデータを転送するように設定された通信インターフェース、
−  そこで、セルラネットワークは、無線インターフェース及び処理回路を有する基地局を備え、基地局の処理回路は、グループＢ実施形態のうちのいずれかの実施形態のステップのうちのいずれかを実行するように設定される。
【０１６１】
実施形態Ｃ５。基地局をさらに含む前述の実施形態の通信システム。
【０１６２】
実施形態Ｃ６。ＵＥをさらに含む前述の２実施形態の通信システムであって、そこで、ＵＥは、基地局と通信するように設定される。
【０１６３】
実施形態Ｃ７。以下のような、前述の３実施形態の通信システム：
−  ホストコンピュータの処理回路は、ホストアプリケーションを実行するように設定され、それにより、ユーザデータを提供する、
−  ＵＥは、ホストアプリケーションに関連するクライアントアプリケーションを実行するように設定された処理回路を備える。
【０１６４】
実施形態Ｃ８。ホストコンピュータ、基地局及びユーザ機器（ＵＥ）を含む通信システムにおいて実施される方法であって、以下を含む方法：
−  ホストコンピュータにおいて、ユーザデータを提供することと、
−  ホストコンピュータにおいて、基地局を備えるセルラネットワークを介してＵＥにユーザデータを運ぶ送信を開始すること、そこで、基地局は、グループＢ実施形態のうちのいずれかの実施形態のステップのうちのいずれかを実行する。
【０１６５】
実施形態Ｃ９。基地局において、ユーザデータを送信することをさらに含む、前述の実施形態の方法。
【０１６６】
実施形態Ｃ１０。ユーザデータは、ホストアプリケーションを実行することによってホストコンピュータにおいて提供され、本方法はさらに、ＵＥにおいて、ホストアプリケーションに関連するクライアントアプリケーションを実行することを含む、前の２実施形態の方法。
【０１６７】
ｓｈｏｒｔＭＡＣ−Ｉのためのセル識別情報の明確化に関する追加情報
ｅＮＢは、マルチＰＬＭＮシナリオにおいて複数のセルＩＤを提供し得る。
【０１６８】
ＲＲＣ接続再確立手続き及びＲＲＣ接続再開手続きの間に、ＵＥは、ｓｈｏｒｔＭＡＣ−Ｉを計算するときにセルＩＤを考慮し、目標ｅＮＢ（すなわち、ＲＲＣ接続再確立又は再開手続きが試みられる先のｅＮＢ）は、セルＩＤをソースｅＮＢ（すなわち、ＲＲＣ接続が失敗した／一時停止される前にＵＥが接続されたｅＮＢ）に指示する。ネットワーク及びＵＥは、再確立／再開手続きが成功するために、同じセルＩＤを考慮しなければならない。
【０１６９】
したがって、ＵＥは、ＳＩＢ１内の第１のセルＩＤ、すなわち、フィールドセル識別情報（サフィックスを有さない）において指示されたもの、を選択することになる。
【０１７０】
ＳＩＢ１内の第１のセルＩＤ、すなわち、フィールドセル識別情報（サフィックスを有さない）において指示されたもの、をＵＥは考慮することになることが明確にされる。そうでない場合、ＲＲＣ接続再確立及びＲＲＣ接続再開は、複数のセルＩＤが提供された場合に、失敗し得る。
【０１７１】
７．１ＵＥ変数
［変更のない部分は省略］
ＵＥ変数ＶａｒｓｈｏｒｔＭＡＣ入力は、ｓｈｏｒｔＭＡＣ−Ｉを生成するために使用される入力を指定する。
2021523628.tif 000011
2021523628.tif 000012
【０１７２】
略語
以下の略語のうちの少なくともいくつかが、本開示において使用され得る。略語の間に不一致がある場合には、それが前述でどのように使用されているかを優先すべきである。以下に複数回記載されている場合、第１の記載はいずれの後続の記載よりも優先されるべきである。
１ｘＲＴＴ              ＣＤＭＡ２０００１ｘ無線送信技術
３ＧＰＰ                第３世代パートナーシッププロジェクト
５Ｇ                    第５世代
ＡＢＳ                  オールモストブランクサブフレーム（Ａｌｍｏｓｔ  Ｂｌａｎｋ  Ｓｕｂｆｒａｍｅ）
ＡＲＱ                  自動リピート要求
ＡＷＧＮ                加算性白色ガウス雑音
ＢＣＣＨ                ブロードキャスト制御チャネル
ＢＣＨ                  ブロードキャストチャネル
ＣＡ                    キャリアアグリゲーション
ＣＣ                    キャリア構成要素
ＣＣＣＨ  ＳＤＵ        共通制御チャネルＳＤＵ
ＣＤＭＡ                コード分割多重アクセス
ＣＧＩ                  セルグローバル識別子
ＣＩＲ                  チャネルインパルス応答
ＣＰ                    サイクリックプレフィックス
ＣＰＩＣＨ              共通パイロットチャネル
ＣＰＩＣＨＥｃ／Ｎｏ    バンド内のパワー密度で割った１チップあたりＣＰＩＣＨ受信エネルギ
ＣＱＩ                  チャネル品質情報
Ｃ−ＲＮＴＩ            セルＲＮＴＩ
ＣＳＩ                  チャネル状態情報
ＤＣＣＨ                専用制御チャネル
ＤＬ                    ダウンリンク
ＤＭ                    復調
ＤＭＲＳ                復調参照信号
ＤＲＸ                  不連続受信
ＤＴＸ                  不連続送信
ＤＴＣＨ                専用トラフィックチャネル
ＤＵＴ                  被試験デバイス
Ｅ−ＣＩＤ              拡張セルＩＤ（測位方法）
Ｅ−ＳＭＬＣ            エボルブドサービングモバイルロケーションセンタ
ＥＣＧＩ                エボルブドＣＧＩ
ｅＮＢ                  Ｅ−ＵＴＲＡＮノードＢ
ｅＰＤＣＣＨ            拡張物理ダウンリンク制御チャネル
Ｅ−ＳＭＬＣ            エボルブドサービングモバイルロケーションセンタ
Ｅ−ＵＴＲＡ            エボルブドＵＴＲＡ
Ｅ−ＵＴＲＡＮ          エボルブドＵＴＲＡＮ
ＦＤＤ                  周波数分割複信
ＦＦＳ                  さらなる研究が必要
ＧＥＲＡＮ              ＧＳＭ  ＥＤＧＥ無線アクセスネットワーク
ｇＮＢ                  ＮＲにおける基地局
ＧＮＳＳ                全地球航法衛星システム
ＧＳＭ                  グローバルシステムフォーモバイルコミュニケーション
ＨＡＲＱ                ハイブリッド自動リピート要求
ＨＯ                    ハンドオーバ
ＨＳＰＡ                高速パケットアクセス
ＨＲＰＤ                高レートパケットデータ
ＬＯＳ                  見通し線
ＬＰＰ                  ＬＴＥ測位プロトコル
ＬＴＥ                  ロングタームエボリューション
ＭＡＣ                  媒体アクセス制御
ＭＢＭＳ                マルチメディアブロードキャストマルチキャストサービス
ＭＢＳＦＮ              マルチメディアブロードキャストマルチキャストサービス単一周波数ネットワーク
ＭＢＳＦＮ  ＡＢＳ      ＭＢＳＦＮオールモストブランクサブフレーム（Ａｌｍｏｓｔ  Ｂｌａｎｋ  Ｓｕｂｆｒａｍｅ）
ＭＤＴ                  ドライブテストの最小化
ＭＩＢ                  マスタ情報ブロック
ＭＭＥ                  モビリティ管理エンティティ
ＭＳＣ                  モバイル交換局
ＮＰＤＣＣＨ            狭帯域物理ダウンリンク制御チャネル
ＮＲ                    新無線（Ｎｅｗ  Ｒａｄｉｏ）
ＯＣＮＧ                ＯＦＤＭＡチャネルノイズ発生装置
ＯＦＤＭ                直交周波数分割多重
ＯＦＤＭＡ              直交周波数分割多重アクセス
ＯＳＳ                  オペレーションサポートシステム
ＯＴＤＯＡ              観測された到達時間差
Ｏ＆Ｍ                  運用及び保守
ＰＢＣＨ                物理ブロードキャストチャネル
Ｐ−ＣＣＰＣＨ          １次共通制御物理チャネル
ＰＣｅｌｌ              １次セル
ＰＣＦＩＣＨ            物理制御フォーマットインジケータチャネル
ＰＤＣＣＨ              物理ダウンリンク制御チャネル
ＰＤＰ                  プロファイル遅延プロファイル
ＰＤＳＣＨ              物理ダウンリンク共有チャネル
ＰＧＷ                  パケットゲートウェイ
ＰＨＩＣＨ              物理ハイブリッド自動再送要求指示チャネル
ＰＬＭＮ                公衆地上移動体通信網
ＰＭＩ                  プリコーダマトリックスインジケータ
ＰＲＡＣＨ              物理ランダムアクセスチャネル
ＰＲＳ                  測位参照信号
ＰＳＳ                  １次同期信号
ＰＵＣＣＨ              物理アップリンク制御チャネル
ＰＵＳＣＨ              物理アップリンク共有チャネル
ＲＡＣＨ                ランダムアクセスチャネル
ＱＡＭ                  直交振幅変調
ＲＡＮ                  無線アクセスネットワーク
ＲＡＴ                  無線アクセス技術
ＲＬＭ                  無線リンク管理
ＲＮＣ                  無線ネットワークコントローラ
ＲＮＴＩ                無線ネットワーク一時識別子
ＲＲＣ                  無線リソース制御
ＲＲＭ                  無線リソース管理
ＲＳ                    参照信号
ＲＳＣＰ                受信信号コードパワー
ＲＳＲＰ                参照記号受信電力又は
参照信号受信電力
ＲＳＲＱ                参照信号受信品質又は
参照記号受信品質
ＲＳＳＩ                受信信号強度インジケータ
ＲＳＴＤ                参照信号時間差
ＳＣＨ                  同期チャネル
Ｓセル                  ２次セル
ＳＤＵ                  サービスデータユニット
ＳＦＮ                  システムフレーム番号
ＳＧＷ                  サービングゲートウェイ
ＳＩ                    システム情報
ＳＩＢ                  システム情報ブロック
ＳＮＲ                  信号対雑音比
ＳＯＮ                  自己最適化ネットワーク
ＳＳ                    同期信号
ＳＳＳ                  ２次同期信号
ＴＤＤ                  時分割複信
ＴＤＯＡ                到達時間差
ＴＯＡ                  到達時間
ＴＳＳ                  ３次同期信号
ＴＴＩ                  送信時間間隔
ＵＥ                    ユーザ機器
ＵＬ                    アップリンク
ＵＭＴＳ                ユニバーサルモバイル通信システム
ＵＳＩＭ                ユニバーサル加入者識別情報モジュール
ＵＴＤＯＡ              アップリンク到達時間差
ＵＴＲＡ                ユニバーサル地上無線アクセス
ＵＴＲＡＮ              ユニバーサル地上無線アクセスネットワーク
ＷＣＤＭＡ              ワイドＣＤＭＡ
ＷＬＡＮ                ワイドローカルエリアネットワーク
【図１】
2021523628.tif 000013
【図２】
2021523628.tif 000014
【図３】
2021523628.tif 000015
【図４】
2021523628.tif 000016
【図５】
2021523628.tif 000017
【図６】
2021523628.tif 000018
【図７】
2021523628.tif 000019
【図８】
2021523628.tif 000020
【図９】
2021523628.tif 000021
【図１０】
2021523628.tif 000022
【図１１】
2021523628.tif 000023
【図１２】
2021523628.tif 000024
【図１３】
2021523628.tif 000025
【図１４】
2021523628.tif 000026
【図１５】
2021523628.tif 000027
【図１６】
2021523628.tif 000028
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
セル識別子（セルＩＤ）選択のための無線デバイスによって実行される方法であって、
無線リソース制御（ＲＲＣ）接続アクションを試みることと、
指定セルＩＤをシステム情報ブロック（ＳＩＢ）内の複数のセルＩＤから選択することと、
前記指定セルＩＤに基づいて指示を決定することと、
ＲＲＣ接続アクションの一部としてネットワークノードに前記指示を送信することと
を含む、方法。
【請求項２】
セル識別子（セルＩＤ）選択のための無線デバイスであって、
無線リソース制御（ＲＲＣ）接続アクションを試みることと、
指定セルＩＤをシステム情報ブロック（ＳＩＢ）内の複数のセルＩＤから選択することと、
前記指定セルＩＤに基づいて指示を決定することと、
前記ＲＲＣ接続アクションの一部としてネットワークノードに前記指示を送信することと
を行うように設定された処理回路
を備える、無線デバイス。
【請求項３】
前記指定セルＩＤが、ＳＩＢ内の第１の発生セルＩＤである、請求項２に記載の無線デバイス。
【請求項４】
前記指定セルＩＤが、サフィックスを有さないＳＩＢ内の複数のセルＩＤ内のセルＩＤである、請求項２又は３に記載の無線デバイス。
【請求項５】
前記ＲＲＣ接続アクションが、ＲＲＣ接続再確立を含む、請求項２から４のいずれか一項に記載の無線デバイス。
【請求項６】
前記ＲＲＣ接続アクションが、ＲＲＣ接続再開を含む、請求項２から４のいずれか一項に記載の無線デバイス。
【請求項７】
前記指定セルＩＤが、拡張セルグローバル識別子（ＥＣＧＩ）を含む、請求項２から６のいずれか一項に記載の無線デバイス。
【請求項８】
前記指示が、短いメッセージ認証コード−完全性（ｓｈｏｒｔＭＡＣ−Ｉ）又は短い再開メッセージ認証コード−完全性（ｓｈｏｒｔＲｅｓｕｍｅＭＡＣ−Ｉ）を含む、請求項２から７のいずれか一項に記載の無線デバイス。
【請求項９】
前記指示を決定するとき、前記処理回路が、前記指定セルＩＤに基づいて前記ｓｈｏｒｔＭＡＣ−Ｉ又はｓｈｏｒｔＲｅｓｕｍｅＭＡＣ−Ｉを計算するように設定された、請求項８に記載の無線デバイス。
【請求項１０】
セル識別子（セルＩＤ）選択のために第１のネットワークノードによって実行される方法であって、
複数のセルＩＤを含むシステム情報ブロック（ＳＩＢ）を無線デバイスに、前記第１のネットワークノードによって、ブロードキャストすることと、
指定セルＩＤを前記ＳＩＢ内の複数のセルＩＤから選択することと、
前記指定セルＩＤを含む第１のメッセージを、第２のネットワークノードに、送信することと、
前記無線デバイスから無線リソース制御（ＲＲＣ）接続アクションに関連する要求を受信することと
を含む、方法。
【請求項１１】
セル識別子（セルＩＤ）選択のための第１のネットワークノードであって、
複数のセルＩＤを含むシステム情報ブロック（ＳＩＢ）を無線デバイスにブロードキャストすることと、
指定セルＩＤを前記ＳＩＢ内の前記複数のセルＩＤから選択することと、
前記指定セルＩＤを含む第１のメッセージを、第２のネットワークノードに、送信することと、
無線リソース制御（ＲＲＣ）接続アクションに関連する要求を前記無線デバイスから受信することと
を行うように設定された処理回路
を備える、第１のネットワークノード。
【請求項１２】
前記ＲＲＣ接続アクションが、ＲＲＣ接続再確立を含む、請求項１１に記載の第１のネットワークノード。
【請求項１３】
前記ＲＲＣ接続アクションが、ＲＲＣ接続再開を含む、請求項１１に記載の第１のネットワークノード。
【請求項１４】
前記第１のネットワークノードが、無線デバイスに関する目標ネットワークノードとして動作しており、
前記第２のネットワークノードが、無線デバイスに関するソースネットワークノードとして動作している、
請求項１２又は１３に記載の第１のネットワークノード。
【請求項１５】
前記第１のネットワークノードが、無線デバイスに関する新しいネットワークノードとして動作しており、
前記第２のネットワークノードが、無線デバイスに関する古いネットワークノードとして動作している、
請求項１１から１４のいずれか一項に記載の第１のネットワークノード。
【請求項１６】
前記指定セルＩＤが、前記ＳＩＢ内の第１の発生セルＩＤである、請求項１１から１５のいずれか一項に記載の第１のネットワークノード。
【請求項１７】
前記指定セルＩＤが、サフィックスを有さない前記ＳＩＢ内の前記複数のセルＩＤ内のセルＩＤである、請求項１１から１６のいずれか一項に記載の第１のネットワークノード。
【国際調査報告】
2021523628.tif 000029
2021523628.tif 000030
2021523628.tif 000031